(57)【特許請求の範囲】
【請求項１】
建物を増築する際に既築側と増築側とを連結する増築用金物であって、
既築側の横部材と増築側の横部材とに跨って設置される横連結板と、既築側の縦部材と増築側の縦部材とに跨って設置される縦連結板と、を備え、
前記横連結板とその両側の前記縦連結板とは一枚の金属板を略直角に折り曲げることで形成されるとともに、
前記横連結板には、前記既築側の横部材又は前記増築側の横部材に別の構造を取り付けるためのボルトの位置に対応する切欠き部が設けられることを特徴とする増築用金物。
【請求項２】
建物を増築する際に既築側と増築側とを連結する増築用金物であって、既築側の横部材と増築側の横部材とに跨って設置される横連結板と、既築側の縦部材と増築側の縦部材とに跨って設置される縦連結板と、を備え、前記横連結板と前記縦連結板とは一枚の金属板を略直角に折り曲げることで形成されるとともに、前記横連結板には、前記既築側の横部材又は前記増築側の横部材に別の構造を取り付けるためのボルトの位置に対応する切欠き部が設けられることを特徴とする増築用金物を備える増築構造であって、
前記横連結板は、既築側の壁の最上部の横部材の下面と増築側の壁の最上部の横部材の下面とに跨って設置されるとともに、
前記縦連結板は、既築側の壁の縦部材の側面上端近傍と増築側の壁の縦部材の側面上端近傍とに跨って設置されることを特徴とする増築構造。
【請求項３】
前記建物は、床パネルと壁パネルとを備える壁式工法の建物であり、
前記横連結板は、既築側壁パネルの上枠の下面と増築側壁パネルの上枠の下面とに跨って設置されるとともに、
前記縦連結板は、既築側壁パネルの縦枠の上端近傍と増築側壁パネルの縦枠の上端近傍とに跨って設置されることを特徴とする請求項２に記載の増築構造。
【請求項４】
建物を増築する際に既築側と増築側とを連結する増築用金物であって、既築側の横部材と増築側の横部材とに跨って設置される横連結板と、既築側の縦部材と増築側の縦部材とに跨って設置される縦連結板と、を備え、前記横連結板と前記縦連結板とは一枚の金属板を略直角に折り曲げることで形成されるとともに、前記横連結板には、前記既築側の横部材又は前記増築側の横部材に別の構造を取り付けるためのボルトの位置に対応する切欠き部が設けられることを特徴とする増築用金物を用いる増築方法であって、
既築側建物の外壁面材の一部を取り外し、
該既築側建物の外壁に平行に増築側建物の外壁を設置し、
既築側の外壁の横部材と増築側の外壁の横部材とに跨って前記横連結板を設置するとともに、既築側の外壁の縦部材と増築側の外壁の縦部材とに跨って前記縦連結板を設置し、
前記増築側建物に内壁面材を取り付けることを特徴とする増築方法。
【発明の詳細な説明】
【技術分野】
【０００１】
本発明は、建物の増築に用いる増築用金物と、増築用金物を備える増築構造と、増築用金物を用いる増築方法と、に関するものである。
【背景技術】
【０００２】
近年、建物の長寿命化に伴って、ライフプランに合わせて建物を増築することが多くなっている。
【０００３】
例えば、両親の住居と同じ敷地内に子供の住居を建てようとした場合、土地の制約などもあって、キッチンやトイレなどは共有し、居室だけを増築するような場合がある。
【０００４】
このように建物を増築する際には、既築側の建物と増築側の建物とを連結し、既築側と増築側とを一体化することで、耐震性などに必要な強度を確保することが一般的である。
【０００５】
そして、この連結には、既築側と増築側とに跨って設置される金具が用いられることがある。
【０００６】
このような金具として、例えば、特許文献１には、壁式工法の各壁パネルの上端部に差し渡される接続具が開示されている。この接続具を用いることで、複数の建物ユニットの各壁パネルを所定の突合せ角度状態で確実に接続することができる。
【０００７】
また、特許文献２には、対応する壁パネルの長手方向に沿う長さを、壁パネルの厚みの２倍以上に設定していることによって、接続具を接続のための定規として用いることが開示されている。これによって、各壁パネルを正確な位置に設置することができるようになる。
【０００８】
さらに、特許文献３には、下階建物ユニット群の上に上階建物ユニットを載置する場合に、各壁パネルの上端部を接続具によって接続し、この上に上階建物ユニットの床パネルを載置することが開示されている。このように上階建物ユニットを載置することで、簡素な構造で下階建物ユニット群の上に上階建物ユニットを載置することができる。
【先行技術文献】
【特許文献】
【０００９】
【特許文献１】特開昭６０−２３８５４３号公報
【特許文献２】特開昭６０−２３８５４４号公報
【特許文献３】特開昭６０−２３８５４５号公報
【発明の概要】
【発明が解決しようとする課題】
【００１０】
しかしながら、上記した特許文献の構成では、壁パネルの上端部に差し渡すように接続具を設置するため、増築する場合には、接続具を設置する前にあらかじめ既築側の上階部分を取り外しておく必要があった。
【００１１】
さらに、上記した接続具は壁パネルの上端部に取り付けるものであるため、上下階の接続のためのジョイントボルトなどが障害となって、長さが制限される場合があった。このように接続具の長さが制限されると、建物に必要な連結の強度が得られなくなる可能性があった。
【００１２】
そこで、本発明は、既築側の上階部分を取り外さずに施工できるうえに、必要な強度を確保できる増築用金物と、この増築用金物を備える増築構造と、この増築用金物を用いる増築方法と、を提供することを目的としている。
【課題を解決するための手段】
【００１３】
前記目的を達成するために、本発明の増築用金物は、建物を増築する際に既築側と増築側とを連結する増築用金物であって、既築側の横部材と増築側の横部材とに跨って設置される横連結板と、既築側の縦部材と増築側の縦部材とに跨って設置される縦連結板と、を備え、前記横連結板と前記縦連結板とは一枚の金属板を略直角に折り曲げることで形成されるとともに、前記横連結板には、前記既築側の横部材又は前記増築側の横部材に別の構造を取り付けるためのボルトの位置に対応する切欠き部が設けられることを特徴とする。
【００１４】
ここで、前記横連結板は、前記既築側の横部材と増築側の横部材とが配置された幅よりも狭い幅に形成された構成とすることができる。また、前記縦連結板の長さは、連結に必要な強度を確保するのに前記横連結板では不足する長さ以上に形成された構成とすることができる。
【００１５】
また、前記横連結板の両側に前記縦連結板を備えることができる。
【００１６】
そして、本発明の増築構造は、上記のいずれかの増築用金物を備える増築構造であって、前記横連結板は、既築側の壁の最上部の横部材の下面と増築側の壁の最上部の横部材の下面とに跨って設置されるとともに、前記縦連結板は、既築側の壁の縦部材の側面上端近傍と増築側の壁の縦部材の側面上端近傍とに跨って設置されることを特徴とする。
【００１７】
また、本発明の増築構造は、前記建物は、床パネルと壁パネルとを備える壁式工法の建物であり、前記横連結板は、既築側壁パネルの上枠の下面と増築側壁パネルの上枠の下面とに跨って設置されるとともに、前記縦連結板は、既築側壁パネルの縦枠の上端近傍と増築側壁パネルの縦枠の上端近傍とに跨って設置されることを特徴とする。
【００１８】
さらに、本発明の増築方法は、上記のいずれかの増築用金物を用いる増築方法であって、既築側建物の外壁面材の一部を取り外し、該既築側建物の外壁に平行に増築側建物の外壁を設置し、既築側の外壁の横部材と増築側の外壁の横部材とに跨って前記横連結板を設置するとともに、既築側の外壁の縦部材と増築側の外壁の縦部材とに跨って前記縦連結板を設置し、前記増築側建物に内壁面材を取り付けることを特徴とする。
【発明の効果】
【００１９】
このように、本発明の増築用金物は、既築側の横部材と増築側の横部材とに跨って設置される横連結板と、既築側の縦部材と増築側の縦部材とに跨って設置される縦連結板と、を備えている。
【００２０】
したがって、障害物などによって横連結板の長さが制限される場合であっても、不足する分を縦連結板の長さで補うことによって、必要な強度を確保することができる。
【００２１】
また、前記横連結板には、前記既築側の横部材又は前記増築側の横部材に別の構造を取り付けるためのボルトの位置に対応する切欠き部を設けることで、ボルトが障害とならずに、増築用金物として必要な長さを確保できる。
【００２２】
さらに、前記横連結板の両側に前記縦連結板を備えることで、１枚の縦連結板だけでは長さが不足する場合にも、必要な長さを確保することができる。
【００２３】
そして、本発明の増築構造において、前記横連結板は、既築側の壁の最上部の横部材の下面と増築側の壁の最上部の横部材の下面とに跨って設置されるとともに、前記縦連結板は、既築側の壁の縦部材の側面上端近傍と増築側の壁の縦部材の側面上端近傍とに跨って設置されている。
【００２４】
したがって、高い位置に増築用金物を取り付けることによって必要な強度を得ることができるうえに、既築側の上階部分を載置した状態のままで既築側と増築側とを連結することができる。
【００２５】
また、本発明の増築構造において、前記横連結板は、既築側壁パネルの上枠の下面と増築側壁パネルの上枠の下面とに跨って設置されるとともに、前記縦連結板は、既築側壁パネルの縦枠の上端近傍と増築側壁パネルの縦枠の上端近傍とに跨って設置されている。
【００２６】
したがって、壁パネルの構造材である上枠どうしや縦枠どうしを連結することによって、壁パネルどうしを強固に連結することができるため、建物ユニットどうしを強固に連結することができる。
【００２７】
さらに、本発明の増築方法は、既築側建物の外壁面材の一部を取り外し、該既築側建物の外壁に平行に増築側建物の外壁を設置し、既築側の外壁の横部材と増築側の外壁の横部材とに跨って前記横連結板を設置するとともに、既築側の外壁の縦部材と増築側の外壁の縦部材とに跨って前記縦連結板を設置し、前記増築側建物に内壁面材を取り付けることを特徴とする。
【００２８】
したがって、既築側の上階部分を載置した状態のままで、簡単な施工によって、既築側と増築側とを連結することができる。
【図面の簡単な説明】
【００２９】
【図１】本発明の最良の実施の形態の増築用金物の構成を説明する斜視図である。
【図２】本発明の最良の実施の形態の増築用金物を備えるユニット建物の全体構成を一部の建物ユニットを省略して説明する斜視図である。
【図３】建物ユニットの構成を分解して説明する分解図である。
【図４】本発明の最良の実施の形態の増築用金物の構成を説明する断面図である。（ａ）は建物を水平方向に切断して下方から見た断面図であり、（ｂ）は鉛直方向に切断して側方から見た断面図である。
【図５】本発明の最良の実施の形態の増築用金物の設置箇所を説明する斜視図である。（ａ）は１階部分の連結箇所であり、（ｂ）は２階部分の連結箇所である。
【図６】本発明の最良の実施の形態の増築用金物を用いる増築方法の順序を説明する説明図である。（ａ）は既築側の外壁面材を取り外す前の状態であり、（ｂ）は取り外した後の状態である。
【図７】本発明の最良の実施の形態の増築用金物を用いる増築方法の順序を説明する説明図である。（ａ）は増築用金物を取り付けている状態であり、（ｂ）は取り付け後の状態である。
【図８】本発明の実施例の増築用金物の構成を説明する斜視図である。
【発明を実施するための形態】
【００３０】
以下、本発明の最良の実施の形態について図面を参照して説明する。
【００３１】
まず、図２を用いて本実施の形態の増築用金物７を備えるユニット建物Ｕの全体構成を説明する。
【００３２】
図２は、本実施の形態のユニット建物Ｕの全体構造を、一部の建物ユニット１，２，２を省略して説明する斜視図である。
【００３３】
本実施の形態のユニット建物Ｕは、いわゆる枠組壁工法の建物であり、図２に示すように、既築側としてコンクリートなどによって構築される既築側基礎５１と、この既築側基礎５１の上に設置される１階の既築ユニット３，・・・と、この１階の既築ユニット３，・・・の上に設置される２階の既築ユニット４，・・・と、既築側屋根ユニット６１と、を備えている。
【００３４】
この１階の既築ユニット３，・・・は、アンカーボルト（不図示）によって既築側基礎５１に固定され、２階の既築ユニット４，・・・は、ジョイントボルト８１（図４参照）によって１階の既築ユニット３，・・・に固定されている。
【００３５】
そして、本実施の形態のユニット建物Ｕは、増築側として既築側基礎５１に隣接してコンクリートなどによって構築される増築側基礎５２と、この増築側基礎５２の上に設置される１階の増築ユニット１，・・・と、この１階の増築ユニット１，・・・の上に設置される２階の増築ユニット２，・・・と、増築側屋根ユニット６２と、を備えている。
【００３６】
この１階の増築ユニット１，・・・は、アンカーボルト（不図示）によって増築側基礎５２に固定され、２階の増築ユニット２，・・・は、ジョイントボルト８１（図４参照）によって１階の増築ユニット１，・・・に固定されている。
【００３７】
この１階の増築ユニット１は、図３の分解図に示すように、床パネル１５と、この床パネル１５の３辺に立設された壁パネル１６，１６，１６と、を備えている。なお、図３においては、説明の便宜のために、実際には設けられる内壁面材を省略している。
【００３８】
この床パネル１５は、いわゆる２０６材や２１０材の骨組（不図示）の上面に、パーチクルボードや構造用合板などの床面材１９が貼られて構成されている。
【００３９】
また、壁パネル１６は、床パネル１５に載置される下枠１８と、この下枠１８に平行で最上部に位置する横部材である上枠１１と、下枠１８と上枠１１とに架け渡される縦部材である複数の縦枠１２，・・・と、を備えている。さらに、一部の壁パネル１６には、通気や採光のための窓を設けるための窓用開口部１７が形成されている。
【００４０】
これらの下枠１８や上枠１１や縦枠１２は、いわゆる２０４材によって形成されるもので、相互にクギによって直接的に固定されていることに加え、後述する外壁面材１４や内壁面材（不図示）とクギによって固定されることで相互に間接的に固定されている。
【００４１】
そして、下枠１８、上枠１１、縦枠１２で構成された枠組の屋外側には、硬質木片セメント板や構造用合板やシージングボードなどの外壁面材１４が貼られるとともに、屋内側には、石膏ボードや構造用合板などの内壁面材が貼られている。
【００４２】
なお、１階の増築ユニット１における１階の既築側ユニット３に接続される側の外壁面材１４は、増築完了時には屋内壁の裏側となるため、あらかじめ取り外されている。
【００４３】
また、隣接する１階の増築ユニット１と接する側の上枠１１の上面には、２つの増築ユニット１の上枠１１に跨るようにジョイントプレート（不図示）が設置されて、増築ユニット１，１どうしを水平方向に連結している。
【００４４】
なお、上記した１階の増築ユニット１の構成は、２階の増築ユニット２、１階の既築ユニット３、２階の既築ユニット４においても略同様であるから、説明は省略する。
【００４５】
そして、本実施の形態のユニット建物Ｕでは、図２において円で囲んだ箇所Ａの拡大図である図１，４に示すように、１階の既築ユニット３の壁パネル３６と、この壁パネル３６と略平行に並設されて隣接する１階の増築ユニット１の壁パネル１６と、に跨って、増築用金物７が設置されて、増築構造Ｓを形成している。
【００４６】
この増築用金物７は、１枚の矩形の金属板を略直角に折り曲げることで、横連結板７１と縦連結板７２とが形成されて、全体として略Ｌ字に構成されている。
【００４７】
この横連結板７１は、上面が、１階の既築ユニット３の上枠３１の下面と、この上枠３１の下面と同一平面上に形成された１階の増築ユニット１の上枠１１の下面と、の両方に接するように架け渡されて、クギ８２，・・・によって固定されている。
【００４８】
さらに、この横連結板７１には、別の構造である２階の既築ユニット３や２階の増築ユニット２を固定するためのボルトとしてのジョイントボルト８１，・・・を取り付けるための切欠き部７１ｂ，・・・が設けられている。
【００４９】
この切欠き部７１ｂには、１階と２階とを固定するボルトとしてのジョイントボルト８１と、座金８３と、が設置され、１階と２階とを強固に連結している。
【００５０】
加えて、この横連結板７１は、上枠１１，３１に跨って設置された状態で、電線などのコードを挿通できるように、コード用切欠き１１ａ，３１ａよりも狭い幅に形成されている。
【００５１】
また、縦連結板７２は、上記した横連結板７１の一端を略直角に折り曲げるようにして形成されるもので、板の外側面が、１階の既築ユニット３の縦枠３２の上端近傍の内側面と、この縦枠３２の内側面と同一平面上に形成された１階の増築ユニット１の縦枠１２の上端近傍の内側面と、の両方に接するように架け渡されて、クギ８２，・・・によって固定されている。
【００５２】
そして、これらの横連結板７１や縦連結板７２には、クギ８２，・・・を取り付けるためのクギ孔７１ａ，７２ａ，・・・が設けられ、これらのクギ孔７１ａ，７２ａ，・・・にクギ８２，・・・が打ち込まれて、増築用金物７が上枠１１，３１や縦枠１２，３２に固定されている。
【００５３】
なお、上記した増築用金物７を備える増築構造Ｓは、２階の既築ユニット４と２階の増築ユニット２との連結（図２において円で囲んだ箇所Ｂ）においても、略同様であるため、説明は省略する。
【００５４】
次に、本実施の形態の増築用金物７を備える増築構造Ｓの施工方法の流れについて、図５を用いて説明する。
【００５５】
まず、図５（ａ）に示すように、既築側基礎５１に隣接して、増築側基礎５２をコンクリートなどによって構築し、この増築側基礎５２の上に、１階の増築ユニット１，１を載置し、複数のアンカーボルト（不図示）によって固定する。
【００５６】
さらに、図５（ａ）の円で囲んだ箇所Ａ，Ａに、後述する施工順序で増築用金物７，７などを取付ける。
【００５７】
次に、図５（ｂ）に示すように、１階の増築ユニット１，１の上に、２階の増築ユニット２，２を載置し、複数のジョイントボルト（不図示）によって固定する。
【００５８】
さらに、図５（ｂ）の円で囲んだ箇所Ｂ，Ｂに、１階部分と同様に後述する施工順序で増築用金物７，７などを取付ける。
【００５９】
最後に、この２階の増築ユニット２，２の上に、増築側屋根ユニット６２を載置し、複数のジョイントボルト（不図示）によって固定して、増築が完了する。
【００６０】
次に、上述した箇所Ａ，Ｂにおける増築用金物７の施工順序について、図６，７の説明図を用いて詳細に説明する。なお、これらの箇所Ａ，Ｂにおける増築用金物７の施工順序は略同様であるため、代表して１階の既築ユニット３と増築ユニット１とを連結する箇所Ａを例に説明する。
【００６１】
まず、施工前の状態を説明すると、図６（ａ）に示すように、１階の既築ユニット３の上に２階の既築ユニット４が載置されている。そして、それぞれの外壁面材３４，４４が連続して設置されている。
【００６２】
次に、図６（ｂ）に示すように、１階の既築ユニット３の外壁面材３４の隅角部近傍の一部を、電動鋸などによって略矩形状に切り取り、上枠３１や縦枠３２，３２を露出させる。この際、この切り取った部分の既築ユニット３の断熱材の一部も取り外しておく。
【００６３】
次に、図７（ａ）に示すように、既築ユニット３に隣接するように増築ユニット１を設置する。
【００６４】
ここにおいて、この増築ユニット１の外壁面材は取り外されており、内壁面材も一時的に取り外されている。さらに、増築ユニット１の断熱材８５は、増築用金物７の設置の支障にならないように折り曲げられている。
【００６５】
そして、既築ユニット３の上枠３１の下面と、この上枠３１の下面と同一平面上に形成された増築ユニット１の上枠１１の下面と、の両方に接するように、横連結板７１を架け渡して、クギ８２，・・・によって固定する。
【００６６】
この際、この横連結板７１は、切欠き部７１ｂの位置が上枠１１，３１に設けたボルト孔１１ｂ，３１ｂの位置と一致するように設置される。
【００６７】
同様に、既築ユニット３の縦枠３２の上端近傍の内側面と、この縦枠３２の内側面と同一平面上に形成された増築ユニット１の縦枠１２の上端近傍の内側面と、の両方に接するように、縦連結板７２を架け渡して、クギ８２，・・・によって固定する。
【００６８】
したがって、図７（ｂ）に示すように増築用金物７が取り付けられることになる。
【００６９】
最後に、折り曲げられた断熱材８５を元の位置に戻し、一時的に取り外しておいた内壁面材（不図示）を取り付けて施工が完了する。
【００７０】
次に、本実施の形態の増築用金物７を備える増築構造Ｓの作用について説明する。
【００７１】
このように、本実施の形態の増築用金物７は、既築ユニット３の横部材である上枠３１と増築ユニット１の横部材である上枠１１とに跨って設置される横連結板７１と、既築ユニット３の縦部材である縦枠３２と増築ユニット１の縦部材である縦枠１２とに跨って設置される縦連結板７２と、を備えている。
【００７２】
したがって、障害物などによって横連結板７１の長さが制限される場合であっても、縦連結板７２によって補うことによって、必要な強度を確保することができる。
【００７３】
つまり、一般に、地震荷重などを作用させて断面力などを計算する場合には、建物全体を１つの構造体として計算するが、その前提として、既築側と増築側とが連結されている必要がある。
【００７４】
この場合、既築側と増築側との連結は、抵抗するモーメントを大きくとることができるように、できる限り上方で行うことが望ましい。
【００７５】
したがって、本実施の形態のように、それぞれのユニットの最上部の横部材である上枠１１，３１に添うように横連結板７１を設置することとなるが、既築ユニット３と増築ユニット１との間の引張力に耐えるためには、ある程度の長さが必要となる。
【００７６】
この場合、新築の建物であれば、両方の横部材の上面にジョイントプレートを差し渡すことができるが、本実施の形態のように増築の建物の場合には、既築側の横部材の上面には別の構造が載置されているため、ジョイントプレートを差し渡すことができない。
【００７７】
さらに、上枠１１，３１の下面にジョイントプレートを設置しようとしても、上枠１１，３１には一定の間隔で縦枠１２，３２が取付けられており、引張力に耐えるために必要な長さを確保できない場合がある。
【００７８】
そこで、本実施の形態では、横連結板７１の一端を折り曲げるようにして、縦部材である縦枠１２，３２に添わすことによって、増築用金物７全体として必要な長さを確保している。
【００７９】
このように横連結板７１と縦連結板７２とを備えていれば、横連結板７１の長さが不足する場合でも、不足分に相当する長さの縦連結板７２を備えることによって、必要な長さを確保することができる。
【００８０】
そして、引張力に耐えうるだけの長さを確保した増築用金物７によって、既築ユニット３，４と増築ユニット１，２とを強固に連結することができるため、地震荷重などに強い構造を備えたユニット建物Ｕを構築することができる。
【００８１】
また、横連結板７１には、既築ユニット３の横部材である上枠３１又は増築ユニット１の横部材である上枠１１に別の構造を取り付けるためのボルトであるジョイントボルト８１の位置に対応する切欠き部７１ｂを設けることで、ジョイントボルト８１が障害とならずに、増築用金物７として必要な長さを確保できる。
【００８２】
つまり、仮に、切欠き部７１ｂを設けなければ、ジョイントボルト８１の近傍の横連結板７１は、横部材である上枠１１，３１から浮いてしまって取付けることができなくなるため、横連結板７１を上枠１１，３１に固定するためのクギ８２，・・・の本数が限られてしまう。
【００８３】
このように、横連結板７１を上枠１１，３１に強固に固定できなければ、結果として、ユニット間の引張力を横連結板７１に伝達することができなくなって、増築用金物７の機能を果たさなくなる。
【００８４】
これに対して、本実施の形態の増築用金物７のように、切欠き部７１ｂを設ければ、横連結板７１を上枠１１，３１に強固に固定できるため、ユニット間の引張力を上枠１１，３１を介して横連結板７１に伝達することができる。
【００８５】
そして、本実施の形態の増築構造Ｓにおいて、横連結板７１は、既築ユニット３の壁の最上部の横部材である上枠３１の下面と増築ユニット１の壁の最上部の横部材である上枠１１の下面とに跨って設置されている。
【００８６】
さらに、縦連結板７２は、既築ユニット３の壁の縦部材である縦枠３２の上端近傍と増築ユニット１の壁の縦部材である縦枠１２の上端近傍とに跨って設置されている。
【００８７】
したがって、高い位置に増築用金物７を取り付けることによって必要な強度を得ることができるうえに、１階の既築ユニット３に２階の既築ユニット４を載置した状態のままで既築側と増築側とを連結することができる。
【００８８】
すなわち、上枠１１，３１の下面の位置は、増築ユニット１や既築ユニット３において、地面からもっとも離れているため、この位置に連結のための増築用金物７を設置すれば、もっとも効率よく引張力を負担させることができる。
【００８９】
加えて、上枠１１，３１の下面に横連結板７１を取付け、縦枠１２，３２の上端近傍の側面に縦連結板７２を取付けることで、２階の既築ユニット４を取り除く必要がなくなる。
【００９０】
このように、２階の既築ユニット４を取り除く必要がなくなれば、連結に係る２階の既築ユニット４と周囲の２階の既築ユニット４との接続や配線などを取り外したり、取り付け直したりする手間がなくなる。したがって、施工時間や費用なども大幅に減縮することができる。
【００９１】
また、本実施の形態の増築構造Ｓにおいて、横連結板７１は、既築ユニット３の壁パネル３６の上枠３１の下面と増築ユニット１の壁パネル１６の上枠１１の下面とに跨って設置されるとともに、縦連結板７２は、既築ユニット３の壁パネル３６の縦枠３２の上端近傍と増築ユニット１の壁パネル１６の縦枠１２の上端近傍とに跨って設置されている。
【００９２】
したがって、壁パネル３６，１６の構造材である上枠３１，１１どうしや縦枠３２，１２どうしを連結することによって、壁パネル３６，１６どうしを強固に連結することができるため、既築ユニット３と増築ユニット１とを強固に連結することができる。
【００９３】
すなわち、一般に、枠組壁工法においては、壁パネル３６，１６の剛性がきわめて大きいため、構造の基本単位となっているが、本実施の形態の増築構造Ｓでは、この壁パネル３６，１６どうしを増築用金物７によって強固に連結している。
【００９４】
そして、この隣接する壁パネル３６，１６は、それぞれ既築ユニット３や増築ユニット１の他の壁パネル３６，１６に強固に連結されているため、結果として、既築ユニット３や増築ユニット１を強固に連結していることとなる。
【００９５】
したがって、地震荷重などに強い構造を備えたユニット建物Ｕを構築することができる。
【００９６】
さらに、本実施の形態の増築方法は、既築ユニット３の外壁面材３４の一部を取り外し、この既築ユニット３の外壁パネル３６に平行に増築ユニット１の外壁パネル１６を設置し、既築ユニット３の外壁パネル３６の横部材である上枠３１と増築ユニット１の外壁パネル１６の横部材である上枠１１とに跨って横連結板７１を設置するとともに、既築ユニット３の外壁パネル３６の縦部材である縦枠３２と増築ユニット１の外壁パネル１６の縦部材である縦枠１２とに跨って縦連結板７２を設置し、増築ユニット１に内壁面材を取り付けることを特徴とする。
【００９７】
したがって、１階の既築ユニット３の上階部分である２階の既築ユニット４を載置した状態のままで、簡単な施工によって、既築ユニット３，４と増築ユニット１，２とを連結することができる。
【００９８】
そして、このように簡単な施工によって、既築側と増築側とを連結することができれば、手間が少なくなって施工時間が短縮されるうえに、クレーン作業なども少なくできるため、より安全な施工が可能となる。
【００９９】
加えて、配線や配管などの取り外しや取付けなど、付随する作業も省略できるため、全体的な工程短縮や費用削減の効果はきわめて大きいといえる。
【０１００】
また、本実施の形態の増築用金物７は、横連結板７１と縦連結板７２とが１枚の金属板を略直角に折り曲げることによって一体に形成されている。
【０１０１】
したがって、相互にフランジとウェブのような補強しあう関係にあるため、上枠３１，１１や縦枠３２，１２などの面がずれるような変形に対して、このフランジとウェブの効果によって抵抗することができる。
【実施例】
【０１０２】
以下、図８を用いて、前記実施の形態とは別の形態の増築用金物７Ａを備える増築構造Ｓ１について説明する。
【０１０３】
なお、前記実施の形態で説明した内容と同一乃至均等な部分の説明については同一符号を付して説明する。
【０１０４】
本実施例では、前記実施の形態とは異なり、横連結板７１の両側に縦連結板７２，７２を備える場合について説明する。
【０１０５】
まず、構成から説明すると、本実施例の増築用金物７Ａを備える増築構造Ｓ１は、１階の既築ユニット３の壁パネル３６と、この壁パネル３６と略平行に並設されて隣接する１階の増築ユニット１の壁パネル１６と、に跨って、増築用金物７Ａが設置されて、増築構造Ｓ１を形成している。
【０１０６】
そして、この増築用金物７Ａは、金属によって板状に形成されるもので、１枚の金属板の両端を略直角に折り曲げるようにして、縦連結板７２と横連結板７１と縦連結板７２とを備え、全体としてコ字状に構成されている。
【０１０７】
この２つある縦連結板７２，７２のうち、一方の縦連結板７２は、上記した横連結板７１の一端を略直角に折り曲げるようにして形成されるもので、板の外側面が、１階の既築ユニット３の縦枠３２の上端近傍の内側面と、この縦枠３２の内側面と同一平面上に形成された１階の増築ユニット１の縦枠１２の上端近傍の内側面と、の両方に接するように架け渡されて、クギ８２，・・・によって固定されている。
【０１０８】
そして、他方の縦連結板７２は、横連結板７１における一方の縦連結板７２の反対側の他端を略直角に折り曲げるようにして形成されるもので、板の外側面が、上記した一方の縦枠３２と対峙する他方の縦枠３２の上端近傍の内側面と、この他方の縦枠３２の内側面と同一平面上に形成された１階の増築ユニット１の縦枠１２の上端近傍の内側面と、の両方に接するように架け渡されて、クギ８２，・・・によって固定されている。
【０１０９】
このように、本実施例の増築用金物７Ａは、縦連結板７２と横連結板７１と縦連結板７２とを備えている。
【０１１０】
したがって、Ｌ字状に折り曲げられて横連結板７１と縦連結板７２とを１つずつ備える前記実施の形態の増築用金物７によっても依然として長さが不足する場合にも、必要な長さの増築用金物７Ａを形成することができる。
【０１１１】
また、前記実施の形態の増築用金物７によって長さが十分な場合でも、本実施例の増築用金物７Ａを用いれば、より上方に増築用金物７Ａの引張断面を有することとなって、構造計算において有利となる。
【０１１２】
なお、この他の構成および作用効果については、前記実施の形態と略同様であるため説明を省略する。
【０１１３】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【０１１４】
例えば、本実施の形態及び実施例では、建物として枠組壁工法のユニット建物Ｕを増築する場合について説明したが、これに限定されるものではなく、従来の軸組工法など、どのような建物を増築する場合にも適用することができる。
【０１１５】
また、本実施の形態及び実施例では、増築用金物７，７Ａに切欠き部７１ｂを設ける場合について説明したが、これに限定されるものではなく、切欠き部７１ｂを設けないものであってもよい。
【０１１６】
さらに、本実施の形態及び実施例では、横連結板７１を最上部の横部材である上枠１１，３１に設置する場合について説明したが、これに限定されるものではなく、他の最上部でない横部材に設置するものであってもよい。
【０１１７】
同様に、本実施の形態及び実施例では、縦連結板７２を縦部材である縦枠１２，３２の上端近傍に設置する場合について説明したが、これに限定されるものではなく、横連結板７１が最上部でない横部材に設置される場合などには、縦部材の中間に設置するものであってもよい。
【０１１８】
そして、本実施の形態及び実施例では、ユニット建物Ｕの外周部に近接する箇所Ａ，Ｂに増築用金物７を設置する場合について説明したが、これに限定されるものではなく、耐力壁に設置するものであれば、どのような位置に設置するものであってもよい。
【符号の説明】
【０１１９】
Ｕ          ユニット建物
Ｓ，Ｓ１    増築構造
１          １階の増築ユニット（増築側）
２          ２階の増築ユニット（増築側）
３          １階の既築ユニット（既築側）
４          ２階の既築ユニット（既築側）
１１，２１，３１  上枠（横部材）
１２，３２        縦枠（縦部材）
３３              内壁面材
１４，３４，４４  外壁面材
１６，３６        壁パネル
７，７Ａ    増築用金物
７１        横連結板
７２        縦連結板
７１ａ，７２ａ      クギ孔
７１ｂ      切欠き部
８１        ジョイントボルト
８２        クギ
【図１】
0005484511.tif 000002
【図２】
0005484511.tif 000003
【図３】
0005484511.tif 000004
【図４】
0005484511.tif 000005
【図５】
0005484511.tif 000006
【図６】
0005484511.tif 000007
【図７】
0005484511.tif 000008
【図８】
0005484511.tif 000009